(57)【要約】【課題】  製作が容易で取扱い易いスマートフォン用ケースを提供する。【解決手段】  スマートフォン１の背面側に当接する底板９の一側部に、このスマートフォン１の表面側に当接する蓋板８の一側部が連接し、前記底板９側に前記スマートフォン１を保持して前記蓋板８を開閉自在に重ねるスマートフォン用ケースであって、前記蓋板８及び底板９の他側部の略中央に、これら蓋板８と底板９とが重ねられたときに対面する凸状片１１，１２をそれぞれ延設し、前記蓋板８の凸状片１１に磁石１３を内蔵する一方、前記底板９の凸状片１２の基端１２ａに鉄片１４を設けてなる。【選択図】  図３
0003199016.tif 000002
【実用新案登録請求の範囲】
【請求項１】
スマートフォンの背面側に当接する底板の一側部に、前記スマートフォンの表面側に当接する蓋板の一側部が連接し、前記底板側に前記スマートフォンを保持して前記蓋板を開閉自在に重ねるスマートフォン用ケースにおいて、前記蓋板の他側部及び前記底板の他側部の各略中央に、これら蓋板と底板とが重ねられたときに対面する凸状片をそれぞれ延設し、前記蓋板の凸状片に磁石を内蔵して設ける一方、前記底板の凸状片の基端に鉄片を設けてなることを特徴とするスマートフォン用ケースである。
【請求項２】
前記底板の凸状片の基端に鉄片が設けられると共に、前記底板の凸状片の基端より先端側に非磁性体からなる硬質の厚板が、鉄片と並設して設けられてなることを特徴とする請求項１に記載のスマートフォン用ケース。
【考案の詳細な説明】
【技術分野】
【０００１】
本考案は、携帯用の端末機を保護するケースに係り、特に、スマートフォン全体を覆って保持するスマートフォン用ケースに関するものである。
【背景技術】
【０００２】
携帯用の端末機として、広く普及しているスマートフォンは、略矩形の薄板状で、表面側に液晶表示部などのタッチパネルが設けられており、ケースにより保護するのが一般的である。
このケースの一例として、軽量かつコンパクトで、端末機の画面を確実に保護することを目的とした端末機用ケースが提案されている（特許文献１参照）。
【０００３】
この端末機用ケースは、ケース本体に画面が表出する開口部を形成している。そして、このケース本体から端末機の画面上に重ねる板状の蓋体を設けている。また、ケース本体の開口部の周囲縁に、板状の金属環体を埋設している  。さらに、この金属環体上に重なる蓋体には、磁石を埋設している。
【０００４】
この端末機用ケースは、端末機の画面の周囲を、ケース本体の開口部に配置した金属環体により強固に保護している。そして、この金属環体に蓋体を重ねて施蓋するので、蓋体と画面との間に隙間が生じることなく、端末機の画面を十分に保護することができるというものである。
【先行技術文献】
【特許文献】
【０００５】
【特許文献１】実用新案登録第３１８６３７４号公報
【考案の概要】
【考案が解決しようとする課題】
【０００６】
ところで、上記従来の端末機用ケースは、蓋体側の磁石とケース本体側の金属環体との磁着によりケース本体に蓋体を施蓋する構成であるから、ケース本体に金属環体を配置すると共に、蓋体側に少なくとも２個の磁石を埋設する必要があり、ケース製作上の使用材料が多くなる。
また、金属環体をケース本体の開口部周囲に配置する工程と、蓋体の両端部に磁石を埋設する工程が必要であり、構造が複雑で製作工程も増すので、全体としてコスト高になるという難点があった。
【０００７】
本考案が解決しようとする課題は、製作が容易で取扱い易く、コストを低くし得ると共に確実に蓋体を閉めることができるスマートフォン用ケースを提供することにある。
【課題を解決するための手段】
【０００８】
本考案は、前記課題を解決するためになされたもので、スマートフォンの背面側に当接する底板の一側部に、このスマートフォンの表面側に当接する蓋板の一側部が連接し、前記底板側に前記スマートフォンを保持して前記蓋板を開閉自在に重ねるスマートフォン用ケースにおいて、前記蓋板及び底板の他側部の略中央に、これら蓋板と底板とが重ねられたときに対面する凸状片をそれぞれ延設し、前記蓋板の凸状片に磁石を内蔵して設ける一方、前記底板の凸状片の基端側に鉄片を設けてなることを特徴とするスマートフォン用ケースである。
【０００９】
請求項２に記載の考案は、  前記底板の凸状片の基端に鉄片が設けられると共に、前記底板の凸状片の基端より先端側に非磁性体からなる硬質の厚板が、鉄片と並設して設けられてなることを特徴とする請求項１に記載のスマートフォン用ケースである。
【考案の効果】
【００１０】
本考案によれば、蓋板及び底板の他側部に凸状片をそれぞれ延設し、一方の凸状片に磁石を設ける一方、他方の凸状片に鉄片を備える構成であり、予め磁石または鉄片を設けた各凸状片を蓋板と底板とにそれぞれ固着すればよいので、製作工程が少なく容易に製作することができる。
しかも、前記蓋板を底板に重ねると、相互に対面する底板側の凸状片の鉄片に蓋板側の凸状片の磁石が磁着するので、蓋板と底板とが確実に引き寄せあった状態となり、蓋板と底板との間にスマートフォンを確実に保持できる。
さらに、底板側の凸状片の基端側に鉄片を設けているので、蓋板側の凸状片の先端が底板側の凸状片の基端側に位置して磁着することとなり、蓋板がスマートフォンの表面に近接して閉じることができる。
また、蓋板側の凸状片の先端のみが鉄片と磁着しているので、蓋板側の凸状片の先端を引っ張ると容易に磁着が解かれ、蓋板を迅速に開けることができる。よって、電話がかかってきたときやメールが着信した際に、スマートフォンを直ぐに操作可能で、電話やメールに迅速に応対できる。
前記底板の凸状片の基端より先端側に非磁性体からなる硬質の厚板を設けている場合は、底板側の凸状片の鉄片と蓋板側の凸状片の磁石とが磁着する際に、この厚板によって底板側の凸状片が型崩れせずに位置決め効果を奏するので、蓋板及び底板が適正な間隔を保持でき、スマートフォンをより適正に保護できる。
【図面の簡単な説明】
【００１１】
【図１】本考案の一実施例を示すスマートフォン用ケースの斜視図である。
【図２】スマートフォンを保持した状態を示すスマートフォン用ケースの平面図である。
【図３】スマートフォン用ケースの各凸状片を示す一部破断平面図である。
【図４】スマートフォン用ケースを広げた状態を示す正面図である。
【図５】スマートフォンを保持した状態を示すスマートフォン用ケースの斜視図である。
【考案を実施するための形態】
【００１２】
以下、本考案のスマートフォン用ケースの一実施例を図面に基づいて具体的に説明する。
本実施例のスマートフォン用ケース７は、普及型の携帯用スマートフォン１を収納保護する折り畳み型のケースである。
このスマートフォン１は、図１、図２に示すように、略矩形の板状で、四隅が丸みを帯びている。このスマートフォン１は、表面２側に液晶のタッチパネル（液晶表示部）４が設けられている。また、上部側１ａにサブカメラ５等が配設される一方、下部側１ｂにホームボタン６が設けられている。
【００１３】
一方、スマートフォン１の背面３側には、図示省略のカメラ、LEDフラッシュ等が配設されている。そして、スマートフォン１の下端縁には、図示省略しているが、ヘッドセットコネクタ、ライトニングコネクタが設けられている。さらに、左側縁１ｃには、図示されない音量ボタン、サイレントスイッチが設けられる一方、右側縁１ｄにパワースイッチ（図示省略）が設けられている。
【００１４】
スマートフォン用ケース７は、図１〜図４に示すように、蓋板８と底板９とからなり、硬質性、防水性及び弾性を有する合成樹脂材や皮革材により形成される。このスマートフォン用ケース７は、蓋板８及び底板９の各一側部８ｃ，９ｃが連接されており、蓋板８と底板９とを重ねたときに、両板８,９の間にスマートフォン１を覆って保持可能な大きさを有している。
【００１５】
蓋板８の内側は、当接面８aであり、各種カードを収納するカード収納部１６が設けられている。底板９の内側も、当接面９aであり、スマートフォン１を保持するための保持部１７が形成されている。８ｂは蓋板８の外表面、９ｂは底板９の外表面である。
【００１６】
このスマートフォン用ケース７は、図１及び図２に示す如く、当接面９aに向けてスマートフォン１の背面３を当接すると、保持部１７にスマートフォン１が保持される。保持部１７の表面は、粘着性を有しており、スマートフォン１を押し付けると接着する。
そして、蓋板８を把持して底板９側に折り曲げると、連接部１０を支点に前記蓋板８を底板９に開閉自在に重ねることができる。この状態では、スマートフォン用ケース７の他側部８ｄ，９ｄ側が自由端となる。
【００１７】
蓋板８及び底板９は、他側部８ｄ，９ｄの上下方向中央に、凸状片１１，１２をそれぞれ延設している。
蓋板８の凸状片１１は、略矩形状で、スマートフォン用ケース７と同質の材料からなり、基端部１１ａを蓋板８の他側部８ｄに縫着している。この凸状片１１は、図２に示すように、当接面８a側に折り曲げ可能であり、蓋板８の幅方向に対しほぼ直角状態を保てるようになっている。
【００１８】
一方、底板９の凸状片１２も、前記蓋板８の凸状片１１と同形、同材質であり、基端部１２ａを底板９の他側部９ｄに縫着している。また、この凸状片１１も、底板９の幅方向に対し折り曲げ可能で、ほぼ直角状態を保てるようにしてある。
【００１９】
なお、前記凸状片１１は、図３に示す如く、先端部１１ｂ寄りに、略矩形で平板状の永久磁石１３を埋設している。これにより、永久磁石１３が、凸状片１１の基端部１１ａ側から先端部１１ｂ側まで延出しているので、凸状片１１全体が変形することなく維持される。また、この凸状片１１は、永久磁石１３により一端がN極に他端がS極の磁性を帯びるので、鉄片に接近するとそれに磁着可能である。
【００２０】
一方、前記底板９の凸状片１２には、鉄片１４及び厚板１５を埋設している。鉄片１４は、細長い平板であって、凸状片１２の基端１２ａ側に固着してある。
厚板１５は、合成樹脂材や厚紙のように、硬質の非磁性体を用いており、略矩形の平板状に形成されていて、鉄片１４に連続するように埋設している。
【００２１】
ところで、スマートフォン用ケース７は、予め蓋板８の凸状片１１に磁石１３を収納した状態で、基端部１１ａを蓋板８の他側部８ｄに縫着する。
また、底板９の凸状片１２に、鉄片１４及び厚板１５を収納しておいて、基端部１２ａを底板９の他側部９ｄに縫着する。
このように、予め磁石１３，鉄片１４，厚板１５を埋設した凸状片１１及び１２を蓋板８と底板９とにそれぞれ固着すればよいので、容易に製作することができる。
【００２２】
このように構成された凸状片１２は、厚板１５が凸状片１２の基端１２ａ側から先端部１２ｂ側まで内蔵されているので、凸状片１２全体が変形することなく維持される。
また、この凸状片１２は、基端１２ａに鉄片１４を埋設してあるので、凸状片１１が接近すると、鉄片１４に永久磁石１３が磁着し、蓋板８と底板９とが重ねられたときに、凸状片１１の先端が凸状片１２の基端に位置して確実に保持することができる。
【００２３】
さらに、鉄片１４が、凸状片１２の基端１２ａ側にのみ設けられているので、凸状片１１を把持して引っ張ると、鉄片１４と磁石１３との磁着が容易に外れ、スマートフォン１の蓋板８を迅速に開けることができる。
【００２４】
この実施例のスマートフォン用ケース７によれば、前記蓋板８及び底板９の他側部８ｄ，９ｄに、それぞれ延設された凸状片１１，１２を重ねると、鉄片１４に磁石１３が磁着して底板９と蓋板８との間にスマートフォン１を確実に保持できる。
【００２５】
一方、凸状片１１，１２は、凸状片１１の先端と凸状片１２の基端とのみで磁着しているので、凸状片１１を引っ張ると鉄片１４と磁石１３との磁着が容易に外れて、スマートフォン１の蓋板８を迅速に開けることができる。
これにより、電話がかかってきたときやメールが着信した際に、タッチパネル４を直ぐに操作可能で、電話やメールに迅速に応対できるスマートフォン用ケース７を提供することができる。
【００２６】
このように構成されたスマートフォン用ケース７を使用するときは、図４に示すように、蓋板８と底板９とを拡げておき、図１に示した如く、この底板９の保持部１７にスマートフォン１を保持する。
【００２７】
次に、蓋板８を把持して底板９側に折り曲げ、蓋板８の凸状片１１を底板９の凸状片１２に接近させると、鉄片１４に永久磁石１３が磁着し凸状片１１，１２相互が確実に密着する。
これにより、蓋板８と底板９とが重ねられて、各当接面８a，９aにスマートフォン１の表面２と背面３とが対接する。よって、このスマートフォン１は、図５に示すように、蓋板８と底板９との間に保持される。
【００２８】
この後、電話がかかってきたときやメールが着信した場合、凸状片１１を引っ張ると、鉄片１４と磁石１３との磁着が容易に解かれて、スマートフォン１の蓋板８を迅速に開けることができる。
これにより、タッチパネル４を直ぐに操作可能で、電話やメールに迅速に応対することができる。
【００２９】
なお、上記実施例では、スマートフォン１を保護するケースについて説明したが、タブレットや小型のノート型パソコンにも適用できることは勿論である。
【符号の説明】
【００３０】
１  スマートフォン
２  表面
３  背面
８  蓋板
９  底板
１１  蓋板の凸状片
１２  底板の凸状片
１３  磁石
１４  鉄片
【図１】
0003199016.tif 000003
【図２】
0003199016.tif 000004
【図３】
0003199016.tif 000005
【図４】
0003199016.tif 000006
【図５】
0003199016.tif 000007